(57)【要約】【課題】カメラの固定的な撮影範囲よりも広いオフィス等において、電話をかけるとき又はかかってきたときに相手の画像を見られるようにする。【解決手段】発信側のボタン電話機の操作に基づいて内線２３番の選択信号を主装置へ送信する（ステップＳ１）。主装置１は、内線２３番のボタン電話機が配置されている位置（ｈ６）を検出した後、その位置の画像データをカメラに要求する（ステップＳ２）。カメラは、ｈ６の撮影位置を撮影できるように移動され（ステップＳ３）、撮影した画像データを発信側ＰＣへ送信する（ステップＳ４）。発信者は内線２３番のボタン電話機又はその付近の画像を見て、人がいることを確認した後に内線２３番を呼び出すための操作を行う。この操作に基づいて内線２３番のダイヤル信号が主装置１へ送信される（ステップＳ５）。主装置１は内線２３番のボタン電話機を呼び出す（ステップＳ６）。【選択図】  図７
2005286937.tif 000002
【特許請求の範囲】
【請求項１】
撮影範囲を可変制御する撮影範囲制御手段と、撮影可能な範囲及び撮影中の範囲を示す撮影位置情報を生成する撮影位置情報生成手段と、前記撮影位置情報生成手段で生成した情報を外部に送信する位置情報送信手段と、撮影した画像を送信する画像送信手段とを有するカメラと、
前記カメラから送信される情報を受信する情報受信手段と、画像を受信する画像受信手段と、前記情報受信手段で受信した情報と前記画像受信手段で受信した画像に基づき前記カメラを管理する管理手段を有する表示器付端末装置とを備えたことを特徴とする通信システム。
【請求項２】
前記管理手段は、前記情報受信手段で受信した撮影可能な範囲の情報に基づき、前記表示器付端末の操作により、前記カメラの撮影範囲を示す情報を送信する送信手段を有することを特徴とする請求項１記載の通信システム。
【請求項３】
前記表示器付端末装置は、主装置と、その主装置に収容されたボタン電話機とを備えており、前記管理手段は、表示画面上の位置入力により前記ボタン電話機を選択する選択手段と、前記選択されたボタン電話機の番号を検出する検出手段と、前記検出されたボタン電話機を呼び出す呼出手段とを有することを特徴とする請求項１記載の通信システム。
【請求項４】
前記検出手段は、前記カメラの撮影可能な範囲及び撮影中の位置を示す撮影位置識別情報を用いて、前記選択されたボタン電話機の前記撮影可能な範囲における位置を検出する手段と、前記カメラの撮影可能な範囲と前記複数のボタン電話機の設置場所との対応関係を示す電話機位置情報を用いて、その検出された位置に設置されているボタン電話機の電話番号を特定する手段とを備えたことを特徴とする請求項３記載の通信システム。
【請求項５】
主装置及びその主装置に収容された複数のボタン電話機を有するボタン電話装置であって、前記主装置は、前記カメラの撮影可能な範囲と前記複数のボタン電話機の設置場所との対応関係を示す電話機位置情報を記憶する電話機位置情報記憶手段と、任意のボタン電話機間の発着信のときに発信側又は着信側のボタン電話機の前記撮影可能な範囲における位置を前記電話機位置情報を基に検出する検出手段と、前記検出した位置を前記カメラへ通知する通知手段とを備えたことを特徴とするボタン電話装置。
【請求項６】
主装置及びその主装置に収容された複数のボタン電話機を有するボタン電話装置であって、前記主装置は、前記カメラの撮影可能な範囲と前記複数のボタン電話機の設置場所との対応関係を示す電話機位置情報を記憶する電話機位置情報記憶手段と、前記カメラから送信された撮影位置情報を受信する受信手段と、前記受信した撮影位置情報が示す撮影位置に設置されているボタン電話機を前記電話機位置情報を基に検出する検出手段と、前記検出したボタン電話機を呼び出す手段とを備えたことを特徴とするボタン電話装置。
【発明の詳細な説明】
【技術分野】
【０００１】
本発明は、ボタン電話装置にカメラを接続した通信システムに関し、特に内線発信又は内線着信時に発着信相手の映像を見られるようにした通信システムに関する。
【背景技術】
【０００２】
オフィス等を撮影しているカメラからの画像を処理して、各席に人が在籍か不在かを判定する手段と、その判定結果を在籍情報として読み出し、在籍か不在かをオフィスの各人に対して表示する手段と、表示された判定結果の中から特定の人を指定する手段と、指定された人に対応する電話番号のダイヤル信号を送出する手段とから構成され、オフィス等の各席に人が在籍か不在かを判定し、その判定結果を表示し、表示結果を用いてダイヤル信号を送信することを特徴とするダイヤリング処理方法が提案されている（特許文献１参照）。このダイヤリング処理方法によれば、在籍であることが判明した場合には自動的にダイヤルすることが可能になる。
【特許文献１】特開平５−２９２２００公報
【発明の開示】
【発明が解決しようとする課題】
【０００３】
しかしながら、このようなダイヤリング処理方法では、カメラが撮影する固定的な撮影範囲に制御が限定されていることから、撮影範囲の移動やズームができなかった。
【０００４】
本発明はこのような問題点を解決するためになされたもので、カメラの固定的な撮影範囲に限定されることなく、カメラが撮影可能な可変範囲でカメラを管理することを目的とする。
【課題を解決するための手段】
【０００５】
請求項１に係る発明は、撮影範囲を可変制御する撮影範囲制御手段と、撮影可能な範囲及び撮影中の範囲を示す撮影位置情報を生成する撮影位置情報生成手段と、前記撮影位置情報生成手段で生成した情報を外部に送信する位置情報送信手段と、撮影した画像を送信する画像送信手段とを有するカメラと、前記カメラから送信される情報を受信する情報受信手段と、画像を受信する画像受信手段と、前記情報受信手段で受信した情報と前記画像受信手段で受信した画像に基づき前記カメラを管理する管理手段を有する表示器付端末装置とを備えたことを特徴とする通信システムである。
請求項２に係る発明は、請求項１記載の通信システムにおいて、前記管理手段は、前記情報受信手段で受信した撮影可能な範囲の情報に基づき、前記表示器付端末の操作により、前記カメラの撮影範囲を示す情報を送信する送信手段を有することを特徴とする通信システムである。
請求項３に係る発明は、請求項１記載の通信システムにおいて、前記表示器付端末装置は、主装置と、その主装置に収容されたボタン電話機とを備えており、前記管理手段は、表示画面上の位置入力により前記ボタン電話機を選択する選択手段と、前記選択されたボタン電話機の番号を検出する検出手段と、前記検出されたボタン電話機を呼び出す呼出手段とを有することを特徴とする通信システムである。
請求項４に係る発明は、請求項３記載の通信システムにおいて、前記検出手段は、前記カメラの撮影可能な範囲及び撮影中の位置を示す撮影位置識別情報を用いて、前記選択されたボタン電話機の前記撮影可能な範囲における位置を検出する手段と、前記カメラの撮影可能な範囲と前記複数のボタン電話機の設置場所との対応関係を示す電話機位置情報を用いて、その検出された位置に設置されているボタン電話機の電話番号を特定する手段とを備えたことを特徴とする通信システムである。
請求項５に係る発明は、主装置及びその主装置に収容された複数のボタン電話機を有するボタン電話装置であって、前記主装置は、前記カメラの撮影可能な範囲と前記複数のボタン電話機の設置場所との対応関係を示す電話機位置情報を記憶する電話機位置情報記憶手段と、任意のボタン電話機間の発着信のときに発信側又は着信側のボタン電話機の前記撮影可能な範囲における位置を前記電話機位置情報を基に検出する検出手段と、前記検出した位置を前記カメラへ通知する通知手段とを備えたことを特徴とするボタン電話装置である。
請求項６に係る発明は、主装置及びその主装置に収容された複数のボタン電話機を有するボタン電話装置であって、前記主装置は、前記カメラの撮影可能な範囲と前記複数のボタン電話機の設置場所との対応関係を示す電話機位置情報を記憶する電話機位置情報記憶手段と、前記カメラから送信された撮影位置情報を受信する受信手段と、前記受信した撮影位置情報が示す撮影位置に設置されているボタン電話機を前記電話機位置情報を基に検出する検出手段と、前記検出したボタン電話機を呼び出す手段とを備えたことを特徴とするボタン電話装置である。
【発明の効果】
【０００６】
請求項１に係る発明によれば、カメラの固定的な撮影範囲に限定されることなく、カメラが撮影可能な可変範囲でカメラを管理することができる。
請求項２に係る発明によれば、カメラの固定的な撮影範囲に限定されることなく、カメラが撮影可能な可変範囲でカメラの撮影範囲を管理することができる。
請求項３、４に係る発明によれば、カメラの固定的な撮影範囲に限定されることなく、カメラが撮影可能な可変範囲にボタン電話機を配置し、そのボタン電話機を撮像した画像の表示画面上の位置入力により、そのボタン電話機を選択し、呼び出すことができる。
請求項５に係る発明によれば、任意のボタン電話機間の発着信のときに、発信側又は着信側のボタン電話機が撮影され、表示されるように、カメラの撮影範囲が遠隔制御されるので、複数のカメラを用いずに、カメラの固定的な撮影範囲よりも広いオフィス等において、電話をかけるとき又はかかってきたときに相手の画像を見ることができる。
請求項６に係る発明によれば、撮影範囲が可変に設置されたカメラで撮影された画像を表示している画面上の位置入力操作により電話がかけられるので、複数のカメラを用いずに、カメラの固定的な撮影範囲よりも広いオフィス等において、画像を見ながら画面上の位置入力操作により電話をかけることができる。
【発明を実施するための最良の形態】
【０００７】
以下、図面を参照しながら本発明の実施形態について説明する。
図１は本発明の実施形態に係る通信システムの構成を示すブロック図である。本実施形態の通信システムは、主装置１及びそれに収容されたＮ個（Ｎ≧２）のボタン電話機2-1 〜2-N からなるボタン電話装置と、Ｎ個（Ｎ≧２）のパーソナルコンピュータ（以下、ＰＣという）3-1 〜3-N と、テレビカメラ（以下、カメラという）４とを備えている。主装置１は、１本以上の電話回線７に接続されており、内線伝送路５によりボタン電話機2-1 〜2-N に接続されている。また、ＰＣ３及びカメラ４は、無線又は有線のＬＡＮ等の通信ネットワーク６により主装置１に接続されている。主装置１、ＰＣ３及びカメラ４は、通信ネットワーク６を介して互いにデータ通信が可能である。
【０００８】
ボタン電話機2-1 〜2-N は例えばオフィスの机の上に配置されており、ＰＣ3-1 〜3-N は各ボタン電話機2-1 〜2-N の近くに配置されている。また、カメラ４は、ボタン電話機2-1 〜2-N 及びＰＣ3-1 〜3-N が配置された場所を撮影可能な位置に設置されており、パン及びチルトさせて撮影範囲を変化させることにより、ボタン電話機2-1 〜2-N 及びＰＣ3-1 〜3-N が配置された全ての場所を撮影することができる。
【０００９】
主装置１は、電話回線７及びボタン電話機2-1 〜2-N の状態を管理し、この主装置１全体の制御等を行う制御部11と、電話回線７を終端制御する外線インターフェース部12と、内線伝送路５を介してボタン電話機2-1 〜2-N を収容する内線インターフェース部13と、外線インターフェース部12と内線インターフェース部13とを交換接続する交換処理部14と、通信ネットワーク６を介したデータ通信のための処理を行う通信インターフェース部15と、制御部11での制御に必要な各種制御情報、外線情報、内線情報等を関連付けて記憶する記憶部16とを備えている。
【００１０】
図２、図３及び図４は、それぞれ図１におけるボタン電話機2-1 〜2-N 、ＰＣ3-1 〜3-N 及びカメラ４の構成を示すブロック図である。図１において、ボタン電話機2-1 〜2-N は同じ構成を持ち、ＰＣ3-1 〜3-N は同じ構成を持つので、以下、区別する必要がある場合を除き、ボタン電話機２、ＰＣ３とする。
【００１１】
図２に示すように、ボタン電話機２は、このボタン電話機２全体の制御等を行う制御部21と、それぞれが制御部21に接続された内線インターフェース部22、音声処理部23、表示部24、操作部25、及び記憶部26を備えている。内線インターフェース部22は、内線伝送路５を介して主装置１と通信を行い、音声処理部23は、呼出音や各種報知音の発生等を行う。表示部24はＬＣＤ等を有し、制御部21から送られてくる各種情報を表示する。操作部25は、ダイヤルキー、外線キー、フックスイッチ等の各種キーを備え、操作者がこれらのキーを用いて入力した情報を制御部21へ送る。記憶部26は、制御部21が各種処理を実行するときに使用するプログラム等が予め格納されているＲＯＭ、制御部21が各種処理を実行するときに各種データ等を一時的に記憶するＲＡＭ、後述する電話機位置情報等を記憶するＥＥＰＲＯＭ等からなる。
【００１２】
図３に示すように、ＰＣ３は、このＰＣ３全体の制御等を行う制御部（ＣＰＵ）31と、それぞれが制御部31に接続された記憶部32、操作部33、表示部34及び通信インターフェース部35から構成されている。記憶部32は、制御部31が各種処理を実行するときに使用するプログラムやデータが予め格納されているＲＯＭ、制御部31が各種処理を実行するときに各種データ等を一時的に記憶するために使用されるＲＡＭ、画像データ等を記憶するハードディスク等から構成されている。操作部33は、マウス、キーボード等であり、ＰＣ３に対して各種指示を入力するために用いられる。表示部34はＬＣＤ等からなり、操作部33から入力された各種指示、テレビカメラ４で撮影された画像データ等が表示される。通信インターフェース部35は、主装置１及びテレビカメラ４との間で通信ネットワーク６を介するデータ通信を行うために必要な処理を行う。
【００１３】
図４に示すように、テレビカメラ４は、レンズ41と、レンズ41により集束される光を画像信号に変換する撮像部42と、撮像部42で生成される画像信号に対して所定の信号処理（ゲイン制御、Ａ／Ｄ変換、データ圧縮等）を施すカメラ信号処理部43と、このテレビカメラ４全体の制御等を行う制御部44と、制御部44に接続された記憶部45及び通信インターフェース部46と、制御部44の制御によりレンズ41のズーム倍率を制御するレンズ制御部47と、制御部44の制御により図示されていないカメラ駆動機構を駆動制御して、カメラ４をパン及びチルトさせるパン・チルト制御部48とを備えている。
【００１４】
記憶部45は、制御部44が各種処理を実行するときに使用するプログラムやデータが予め格納されているＲＯＭ、制御部44が各種処理を実行するときに各種データ等を一時的に記憶するために使用されるＲＡＭ、後述する撮影位置識別情報を生成するためのデータ等が格納されるＥＥＰＲＯＭ等から構成されている。通信インターフェース部46は、カメラ信号処理部43及び制御装置44との間で通信ネットワーク６を介するデータ通信を行うために必要な処理を行う。
【００１５】
テレビカメラ４の記憶部45（ＥＥＰＲＯＭ）には、図５（ａ）に示すように、テレビカメラ４のレンズ41のズーム倍率の可変範囲情報、テレビカメラ４のパン角度及びチルト角度の可変範囲情報が設置時等に記憶される。また、テレビカメラの記憶部45（ＲＡＭ）には、図５（ｂ）に示すように、現在のパン角情報、チルト角情報、及びズーム倍率情報が記憶されている。制御部44は、これらの情報に基づいて、図５（ｃ）に示すような撮影可能な範囲及び現在撮影中の位置を示す情報（以下、撮影位置識別情報という）を作成する。図５（ｃ）において、縦１０個、横９個、（以下、１０×９という）のマトリックスは、撮影可能範囲を１０×９に分割したことを意味する。また、この図において、文字が記入されている部分は現在撮影中の範囲であり、その範囲内の各マトリックスの位置を区別している。
【００１６】
撮影位置識別情報は撮影可能範囲を示す撮影可能範囲情報と、現在撮影中の位置を示す撮影位置情報と、ズーム倍率情報とからなる。撮影可能範囲情報としては、例えばマトリックスの左上端及び右下端を用いて（ａ１，ｊ９）とし、撮影位置情報としては（ｂ２＝ＡＩ，ｂ３＝ＡII，ｂ４＝ＡIII ，ｂ５＝ＡIV，ｃ２＝ＢＩ，・・・，ｆ５＝ＥIV）のように、現在撮影中の範囲を２０分割した各位置と撮影可能範囲を９０分割したマトリックスの位置とを対応付ける。ズーム倍率情報としては、例えば１倍のときに撮影中となる範囲のマトリックス単位のサイズ情報とする。この撮影位置識別情報はリアルタイムで作成され、撮影位置識別情報として記憶部45（ＲＡＭ）に記憶される。なお、図５（ｃ）では撮影可能範囲を１０×９としたが、これと異なる値でもよいことは言うまでもない。
【００１７】
主装置１の記憶部16には、図６に示すような、複数のボタン電話機2-1 〜2-N がカメラ４の撮影可能範囲のどこに配置されているのかを示すボタン電話機位置情報テーブルが格納されている。なお、この図において、「内１０」は内線１０番のボタン電話機を意味し、それがｂ２の位置に配置されていることを示している。
【００１８】
このボタン電話機位置情報テーブルは例えば以下の手順により作成する。
まず、カメラ４の撮影範囲を撮影可能範囲の左上端に設定して撮影を行い、その画像データ、撮影可能範囲情報及び撮影位置情報を通信ネットワーク６経由でいずれか１つのＰＣ（ここではＰＣ3-1 とする）へ送信する。図６において、撮影範囲のサイズを５×４とすると、（ａ１，ｅ４）の範囲が撮影される。ＰＣ3-1 では、受信した撮影可能範囲情報、撮影位置情報及び画像データを記憶部32に記憶する。
【００１９】
次に、カメラ４を右方向にパンさせ、（ａ１，ｅ４）の右隣である（ａ５，ｅ８）の範囲を撮影し、画像データ、撮影可能範囲情報及び撮影位置情報を通信ネットワーク６経由で主装置１へ送信する。以下、同様にして、カメラ４をパン及びチルトさせながら、撮影可能範囲の右下端まで撮影する。ＰＣ3-1 では、カメラ４から全撮影可能範囲の画像データを記憶した後、それらを合成したパノラマ画像を表示部34に表示するとともに、そのパノラマ画像上に撮影可能範囲を示すマトリックスを重ねて表示する。次いで、ユーザがこの表示画面に表示されているボタン電話機の画像を操作部33のマウスで選択し、キーボードから内線番号を入力する。表示画面に表示されている全てのボタン電話機についてこの操作を行うことにより、図６に示すボタン電話機位置情報テーブルが作成され、記憶部32（ハードディスク）に記憶される。このボタン電話機位置情報テーブルは、通信ネットワーク６を介して主装置１及びＰＣ3-2 ・・・3-N に送信され、それぞれの記憶部16及び32に記憶される。
【００２０】
以上の構成を有する通信システムの動作について図７乃至図９を参照しながら説明する。
〔ボタン電話機による内線発着信動作１〕
図７は内線発着信動作の一例のシーケンス図である。この図において、発信側のボタン電話機の操作部25から内線番号２３番のボタン電話機を選択するための操作を行うと、その操作は制御部21により検出され、内線２３番の選択信号が内線インターフェース部22及び内線伝送路５を経由して主装置１へ送信される（ステップＳ１）。
【００２１】
主装置１では、内線２３番の選択信号が内線インターフェース部13で受信され、制御部11へ送られる。制御部11は、記憶部16に記憶されているボタン電話機位置情報を参照して、内線２３番のボタン電話機がカメラ４の撮影可能範囲のｈ６の位置に配置されていることを検出した後、ｈ６の撮影位置の画像データを要求する信号を通信インターフェース部15及び通信ネットワーク６を経由してカメラ４へ送信する（ステップＳ２）。
【００２２】
カメラ４では、ｈ６の撮影位置の画像データを要求する信号が通信インターフェース部46で受信され、制御部44へ送られる。制御部44は、記憶部45に記憶されている撮影位置識別情報を参照して、ｈ６の撮影位置を撮影するようにパン・チルト制御部48を制御する（ステップＳ３）。次いで、カメラ４は、ｈ６の撮影位置の画像データを通信インターフェース部46及び通信ネットワーク６を経由して発信側のボタン電話機の近くに配置されているＰＣ（発信側ＰＣ）へ送信する（ステップＳ４）。
【００２３】
発信側ＰＣでは、カメラ４からの画像データが通信インターフェース部35で受信され、制御部31へ送られる。制御部31は、受信した画像データを記憶部32に記憶した後、読み出して表示部34に表示する。従って、発信者は内線２３番のボタン電話機又はその付近の画像を表示部34で見て、着信側に人がいることを確認した後に内線２３番を呼び出すための操作を行うことができる。この操作は制御部21により検出され、内線２３番のダイヤル信号が内線インターフェース部22及び内線伝送路５を経由して主装置１へ送信される（ステップＳ５）。主装置１は、内線２３番のダイヤル信号を受信すると、内線インターフェース部13から内線２３番のボタン電話機に呼び出し信号を送信する（ステップＳ６）。発信者は、内線２３番のボタン電話機又はその付近の画像を見ながら着信者が電話に出るのを待ち、その画像を見ながら通話を行うことができる。
【００２４】
〔ボタン電話機による内線発着信動作２〕
図８は内線発着信動作の別の一例のシーケンス図である。なお、このシーケンス図において、ボタン電話機、主装置並びにカメラの内部のデータの流れの説明、及びボタン電話機と主装置との間の通信は内線伝送路５を介して行われ、カメラと主装置及びＰＣとの間の通信は通信ネットワーク６を介して行われることの説明は、図７の場合と同様であるから省略する。
【００２５】
図８において、発信側のボタン電話機において内線番号２３番のボタン電話機を呼び出すための操作を行うと、内線２３番のダイヤル信号が主装置１へ送信される（ステップＳ11）。主装置１では、内線２３番のダイヤル信号を受信し、ボタン電話機位置情報を参照して、内線２３番のボタン電話機がカメラ4 の撮影可能範囲のｈ６の位置に配置されていることを検出した後、ｈ６の撮影位置の画像データを要求する信号をカメラ４へ送信する（ステップＳ12）。次に、主装置１は、内線インターフェース部13から内線２３番のボタン電話機に呼び出し信号を送信する（ステップＳ13）。
【００２６】
カメラ４では、ｈ６の撮影位置の画像データを要求する信号を受信し、撮影位置識別情報を参照して、ｈ６の撮影位置を撮影するようにパン・チルト制御部48を制御する（ステップＳ14）。次いで、カメラ４は、ｈ６の撮影位置の画像データを着信側のボタン電話機の近くに配置されているＰＣ（以下、着信側ＰＣという）へ送信する（ステップＳ15）。
【００２７】
着信側ＰＣでは、カメラ４からの画像データを受信し、記憶部32に記憶した後、読み出して表示部34に表示する。従って、着信者は、発信側のボタン電話機の周囲の画像を表示部34で見ながら電話に出た後、その画像を見ながら通話を行うことが出来る。
【００２８】
〔ＰＣによる内線発信動作〕
図９はＰＣから内線発信を行うときの動作の一例のシーケンス図である。このシーケンス図において、図８と同様、装置内部のデータの流れ、及び装置間のデータ伝送媒体に関する説明は省略する。
【００２９】
まず発信者は自分が使用するボタン電話機の近くに配置されているＰＣ（以下、発信側ＰＣという）のカメラ制御用ソフトを立ち上げ、表示部34の画面上で画像データ要求操作を行うと（ステップＳ21）、発信側ＰＣの制御部31は画像データ要求信号を作成し、カメラ４へ送る（ステップＳ22）。カメラ４では、画像データ要求信号を受信すると、現在撮影中の画像データ及び撮影位置識別情報を発信側ＰＣへ送信する（ステップＳ23）。発信側ＰＣでは、受信した画像データ及び撮影位置識別情報を記憶部32に記憶した後、画像データを読み出して表示部34に表示する。ここで、現在撮影中の範囲が図５に示すものである場合、発信側ＰＣの表示部34には図１０で斜線を付与した範囲の画像が表示される。
【００３０】
次に、発信者は発信側ＰＣのポインティングデバイスを操作して、着信先のボタン電話機又はその近くにいる人の画像上にポインタを重ね、クリックする（ステップＳ24）。ここでは、内線番号１４の電話機の近くにいる人の画像にポインタを重ね、クリックしたものとする。発信側ＰＣは、マウスの操作を検出し、記憶部32に記憶されている撮影位置識別情報を参照して、ＢIII の位置がクリックされたことを検出すると、カメラ４に対して位置情報ＢIII を送信する（ステップＳ25）。
【００３１】
カメラ４は位置情報ＢIII を受信すると、記憶部45に記憶されている撮影位置識別情報を参照して、現在撮影中の画像では、位置情報ＢIII が撮影可能範囲のｃ４の位置であることを検出する（ステップＳ26）。次に、カメラ４は主装置１に対して位置情報ｃ４を送信する（ステップＳ27）。
【００３２】
主装置１は位置情報ｃ４を受信すると、記憶部16に記憶されているボタン電話機位置情報を参照し、ｃ４の位置に配置されているボタン電話機の内線番号が１４であると判定する（ステップＳ28）。次いで主装置１は内線１４番のボタン電話機に呼び出し信号を送信する（ステップＳ29）。
【００３３】
このように、発信者はＰＣの表示装置に表示されているオフィス等の画像を見ながらマウス等のポインティングデバイスを操作し、呼出を行いたいボタン電話機等の画像を選択することにより、自動的に発信を行うことができる。
【００３４】
なお、本発明は例えば下記（１）〜（４）のような変形が可能である。
（１）図９のステップＳ24を行うときに、呼出を行いたいボタン電話機が表示されていない場合は、カメラ４に対して撮影範囲を移動させる要求を行う。この要求を行うときには、表示部34に、現在撮影中の画像データと並べて図５に示すような撮影位置識別情報、及び撮影範囲を移動（パン、チルト）させるための移動キーを表示し、その移動キーの操作に対応する移動指示をカメラ４に送信する。カメラ４は、移動指示に従ってパン及びチルトを行うことにより撮影範囲を変化させ、撮影範囲変化後の画像データを発信側ＰＣへ送信する。発信側ＰＣでは、受信した画像データにより撮影範囲変化後の画像を表示する。発信者は、表示されている画像を見ながら、前述したステップＳ24の操作を行う。
（２）図９のステップＳ24を行うときに、呼出を行いたいボタン電話機が表示されていた場合は、そのボタン電話機が表示画面の中央部に表示されるようにカメラ４の撮影範囲を変化させる。
（３）ＰＣ３に撮影位置識別情報（撮影可能な範囲及び現在撮影中の位置を示す情報）を記憶する代わりに、撮影位置情報（現在撮影中の位置を示す情報）のみを記憶する。
（４）ボタン電話機３にＰＣ３の機能を兼用させる。
【図面の簡単な説明】
【００３５】
【図１】本発明の実施形態に係る通信システムの構成を示すブロック図である。
【図２】本発明の実施形態におけるボタン電話機の構成を示すブロック図である。
【図３】本発明の実施形態におけるＰＣの構成を示すブロック図である。
【図４】本発明の実施形態におけるカメラの構成を示すブロック図である。
【図５】本発明の実施形態におけるカメラに記憶される情報を示す図である。
【図６】本発明の実施形態におけるボタン電話機位置情報を示す図である。
【図７】本発明の実施形態における発着信動作の一例を示すシーケンス図である。
【図８】本発明の実施形態における発着信動作の別の一例を示すシーケンス図である。
【図９】本発明の実施形態におけるＰＣによる発信動作の一例を示すシーケンス図である。
【図１０】本発明の実施形態におけるＰＣによる発信動作を行うときに表示される画像を説明するための図である。
【符号の説明】
【００３６】
１・・・主装置、２・・・ボタン電話機、３・・・ＰＣ、４・・・カメラ、11，21，31、44・・・制御部、15，35，46・・・通信インターフェース部、16、26、32、45・・・記憶部、34・・・表示部、48・・・パン・チルト制御部。
【図１】
2005286937.tif 000003
【図２】
2005286937.tif 000004
【図３】
2005286937.tif 000005
【図４】
2005286937.tif 000006
【図５】
2005286937.tif 000007
【図６】
2005286937.tif 000008
【図７】
2005286937.tif 000009
【図８】
2005286937.tif 000010
【図９】
2005286937.tif 000011
【図１０】
2005286937.tif 000012